(57)【特許請求の範囲】
【請求項１】
上方が開口した箱体と、箱体の開口を覆い且つ箱体に対して着脱自在な上蓋とを有し、上蓋の上面に畳を載置すると共に箱体の側面を壁等の当接面に沿って配置され、箱体の当接面側の側面上部に設けた出し入れ自在な隙間覆い片により平面視における畳載置用収納箱と当接面との間の隙間を覆う畳載置用収納箱であって、箱体の当接面側の外側面に上蓋の当接面側の側面に近接対向し且つ該上蓋の上面に載置された畳の当接面側の側面が当接する縁材を設け、縁材に当接面側に向かって開口する収納部を設け、該収納部に隙間覆い片を出し入れ自在に収納し、縁材に回転操作により隙間覆い片を突出させるねじ具を設け、縁材の上蓋の当接面側の側面に対向する位置にねじ具の回転操作部を露出させて成ることを特徴とする畳載置用収納箱。
【請求項２】
箱体の縁材に対向する個所に固着具用孔を設け、縁材の箱体側の側面に固着具用ガイド溝部を設け、箱体の内側から固着具用孔に挿入した固着具の先端を固着具用ガイド溝部に固着することで縁材を箱体に固着して成ることを特徴とする請求項１記載の畳載置用収納箱。
【発明の詳細な説明】
【０００１】
【発明の属する技術分野】
本発明は和室空間を簡易に設置することができる畳載置用収納箱に関するものである。
【０００２】
【従来の技術】
従来、畳載置用収納箱として、上方が開口した箱体と、箱体の開口を覆い且つ畳を載置するための上蓋とを有し、上蓋が箱体に対して着脱自在となっているものが知られている。この畳を載置した畳載置用収納箱を箱体の側面が壁等の当接面に沿うように配置することで、室内に畳空間を簡易に構成することができるようになっている。
【０００３】
しかしながら、上記の従来の収納箱においては、壁等の当接面に沿って箱体を当接させようとした場合、壁等の寸法誤差や施工による誤差のために当接面と箱体の側面とが平行にならず、平面視における畳載置用収納箱と当接面との間に隙間が生じてしまい、外観性が損なわれていた。また上記隙間より埃やゴミ等が入りこんでしまい、衛生上好ましくなかった。
【０００４】
【発明が解決しようとする課題】
本発明は上記従来例の問題点に鑑みて発明したものであって、その目的とするところは、畳載置用収納箱と当接面との間の隙間を覆い隠して外観を美しくし、また隙間に埃やゴミ等が入り込むことを防止した畳載置用収納箱を提供することを課題とするものである。
【０００５】
【課題を解決するための手段】
上記課題を解決するために本発明に係る畳載置用収納箱は、上方が開口した箱体２と、箱体２の開口を覆い且つ箱体２に対して着脱自在な上蓋３とを有し、上蓋３の上面に畳４を載置すると共に箱体２の側面を壁等の当接面５に沿って配置され、箱体２の当接面５側の側面上部に設けた出し入れ自在な隙間覆い片６により平面視における畳載置用収納箱１と当接面５との間の隙間を覆う畳載置用収納箱であって、箱体２の当接面５側の外側面に上蓋３の当接面５側の側面に近接対向し且つ該上蓋３の上面に載置された畳４の当接面５側の側面が当接する縁材７を設け、縁材７に当接面５側に向かって開口する収納部８を設け、該収納部８に隙間覆い片６を出し入れ自在に収納し、縁材７に回転操作により隙間覆い片６を突出させるねじ具９を設け、縁材７の上蓋３の当接面５側の側面に対向する位置にねじ具９の回転操作部を露出させて成ることを特徴とするものである。
【０００６】
このような構成とすることで、壁等の寸法誤差や施工による誤差のために当接面５と箱体２とを平行に配置できず隙間なく当接出来ない場合において、平面視における当接面５と箱体２との間にできる隙間の幅に応じて隙間覆い片６を突出させることができ、当接面５と畳載置用収納箱１との間の隙間を覆い隠すことができる。また隙間覆い片６を当接面５側に突出させるねじ具９を設けることで、容易に隙間覆い片６の突出量を調節することができ、またねじ具９の回転操作部１０は箱体２よりも上方に位置しているため、箱体２に収納される収納物の量にかかわらず回転操作部１０を操作して隙間覆い片６を突出させることができる。さらにねじ具９の回転操作部１０は上蓋３の当接面５側の側面に対向する位置に露出しているので、上蓋３を取付けた状態においては上蓋３によってねじ具９の回転操作部１０が外から見えない位置に収めることができる。また上蓋３の上面に載置された畳４の当接面５側の側面を縁材７に当接することで、平面視における畳４と縁材７との間に隙間が生じず、畳４と縁材７との間の隙間にゴミや埃等が入り込むことがなくなる。
【０００７】
また請求項２記載の畳載置用収納箱は請求項１記載の畳載置用収納箱において、箱体２の縁材７に対向する個所に固着具用孔１２を設け、縁材７の箱体２側の側面に固着具用ガイド溝部１３を設け、箱体２の内側から固着具用孔１２に挿入した固着具１４の先端を固着具用ガイド溝部１３に固着することで縁材７を箱体２に固着して成ることを特徴とするものである。
【０００８】
上記のように縁材７に固着具用ガイド溝部１３を設けることで、固着具用ガイド溝部１３がガイドとなり箱体２に対する縁材７の高さを一定にした状態で縁材７を箱体２に固着することができる。また固着具用ガイド溝部１３を縁材７の長手方向における全長に亘って設けることで、縁材７を箱体２に固着した際、箱体２に対して縁材７を水平に固着することができ、施工による箱体２に対する縁材７の高さのばらつきを抑えることができる。
【０００９】
【発明の実施の形態】
以下、本発明を添付図面に示す実施形態に基づいて説明する。なお以下に示す実施形態では図２に示すような複数の畳載置用収納箱１で構成された畳コーナーユニット１８について記載されているが、畳コーナーユニット１８を一つの畳載置用収納箱１で構成しても良い。さらに下記の畳コーナーユニット１８は当接面５が直角に隣接する部屋の隅に畳コーナーユニット１８の２側面を寄せて配置したものを示しているが、畳コーナーユニット１８の当接面５に対向する側面の数はこれに限定されない。
【００１０】
本実施形態における畳載置用収納箱１は図２に示すように複数の畳載置用収納箱１を組み合わせることで畳コーナーユニット１８を形成しており、該畳コーナーユニット１８は壁等の当接面５に沿って配置されている。畳コーナーユニット１８に構成された複数の畳載置用収納箱１には側面が当接面５側に面した畳載置用収納箱１ａと、側面が当接面５側に面していない畳載置用収納箱１ｂとの２種類があり、側面が当接面５側に面していない畳載置用収納箱１ｂは上方が開口した箱体２と、箱体２の開口を覆い且つ畳４を載置するための上蓋３とを有しており、上蓋３は箱体２に対して着脱自在となっている。
【００１１】
一方、側面が当接面５側に面した畳載置用収納箱１ａは、壁等の寸法誤差や施工による誤差のために当接面５と箱体２とが平行とならないことによって畳載置用収納箱１ａと当接面５との間に生じてしまう隙間を覆い隠すために、上記側面が当接面５側に面していない畳載置用収納箱１ｂの構成要件に加えて以下に示すような構成を有している。なお以下の説明では特別な記載がない限り畳載置用収納箱１ａの上蓋３は箱体２に取付けられた状態となっているものとする。
【００１２】
図１に示すように側面が当接面５側に面した畳載置用収納箱１ａの夫々の箱体２の当接面５に対向する面（後述する縁材７の箱体２側の側面に対向する箇所）の上部には固着具用孔１２が設けられている。この固着具用孔１２に対応する箱体２の当接面５側の外側面の上端部には箱体２の当接面５側の側面の上辺に沿った方向における全長に亘って図４〜６に示す断面略長方形状の縁材７が配置されている。なお本実施形態における縁材７は図２に示すように当接面５に沿った方向に連続する複数の畳載置用収納箱１ａに亘って配置されているが、これに限定されず、側面が当接面５側に面した各畳載置用収納箱１ａに夫々縁材７を配置しても良いものである。縁材７の下部は各箱体２の内側から固着具用孔１２に挿入されたねじ等の固着具１４の先端が固着されており、これによって箱体２に縁材７が固着されている。縁材７の箱体２側の側面の上部には長手方向における全長に亘って載置部１６が突出しており、縁材７の箱体２側の側面下部は箱体２の当接面５側の側面上部に当接している。載置部１６の畳４側の側面上部は畳４の当接面５側の側面に当接し、載置部１６の上蓋３側の側面の畳４の下面より下方に位置する部分は上蓋３の当接面５側の側面に近接対向している。載置部１６の畳４側の側面上部は畳４の当接面５側の側面に当接することで、平面視における畳４と縁材７との間には隙間が生じず、畳４と縁材７との間の隙間にゴミや埃等が入り込むことがなくなる。また載置部１６の下面は箱体２の上面の当接面５側の端部に載置されており、これによって箱体２に対する縁材７の高さを一定とした状態で固着することができ、畳４上面と縁材７上面との外観を美しくすることができる。
【００１３】
縁材７の当接面５側の側面上部の上蓋３の下面よりも高くに位置する部分には縁材７の長手方向の全長に亘って当接面５側に向かって開口する横溝２０が形成されており、この横溝２０を下記の隙間覆い片６を出し入れ自在に収納する収納部８としている。収納部８には図３に示すような板状の隙間覆い片６が収納されており、隙間覆い片６の長手方向における全長は上記縁材７の長手方向における全長と略同じ長さとなっている。
【００１４】
縁材７の箱体２側の側面の上蓋３の当接面５側の側面に対向する位置（収納部８と同じ高さの位置）にはざぐりを有するねじ具挿入孔１７が長手方向に沿った同一線上の複数の箇所に穿孔してあり、該ねじ具挿入孔１７は前述した収納部８と連通している。ねじ具挿入孔１７には図１に示すように回転操作により隙間覆い片６を突出させるためのねじ具９が挿入されており、ねじ具９の回転操作部１０はざぐりに収まった状態となっている。
【００１５】
上記構成の側面が当接面５側に面した畳載置用収納箱１ａと前述した畳載置用収納箱１ｂとで畳コーナーユニット１８を構成し、該畳コーナーユニット１８を当接面５に沿って配置することで、室内に畳空間を形成することができる。また畳コーナーユニット１８の夫々の畳載置用収納箱１には上蓋３が着脱自在に設けられているため、上蓋３を取り外すことで箱体２の開口より収納物を箱体２に収納できるようになっている。
【００１６】
畳コーナーユニット１８の側面が当接面５側に面した畳載置用収納箱１ａと当接面５との隙間を覆う場合は、図７の状態にある畳載置用収納箱１ａを下記のように夫々の畳載置用収納箱１ａに設けられたねじ具９を回転操作することで行われる。まず上蓋３を箱体２から取り外した状態にしてねじ具９の箱体２側にねじ具９を回転するためのスペースを確保する。次に縁材７の箱体２側からねじ具９の回転操作部１０を回転させる。ねじ具９の回転によってねじ具９の先端は隙間覆い片６の箱体２側の側面を当接面５側に押し、隙間覆い片６が当接面５側に突出していく。ねじ具９の回転を進め隙間覆い片６の先端を当接面５に当接させ、ねじ具９の回転操作を終える。このようにねじ具６を回転操作することによって、図１に示すように隙間覆い片６にて平面視における畳載置用収納箱１ａと当接面５との間に生じる隙間を容易に覆い隠すことができる。また畳載置用収納箱１ａの当接面５側の側面と当接面５とが平行とならず、平面視における当接面５と畳載置用収納箱１ａと間の隙間の幅が縁材７の長手方向と同一方向において異なる場合においても、夫々の畳載置用収納箱１ａに設けられたねじ具９のねじ込み深さを変更するだけで、隙間覆い片６にて異なる幅を有する隙間を覆い隠すことができる。
【００１７】
また上蓋３を箱体２に取付けた状態とすることで、ねじ具９の回転操作部１０及びねじ具挿入孔１７を上蓋３の当接面５側の側面にて外観に露出しないようにすることができ、上蓋３を閉じた状態にある畳載置用収納箱１ａの外観を向上させることができる。
【００１８】
次に上記実施形態とは異なる実施形態を示す。なお図１の実施形態と同一の構成については同一の番号を付けてあり、重複する説明については説明を省略する。図８〜１０に示すように本実施形態における畳載置用収納箱１ａの縁材７の箱体側の側面には長手方向における全長に亘って固着具用ガイド溝部１３が設けられてある。上記のように縁材７に固着具用ガイド溝部１３を設けることで、図１１に示すような載置部１６を設けていない縁材７を使用した場合においても、箱体２に対する縁材７の高さを一定にすることができる。また固着具用ガイド溝部１３を長手方向における全長に亘って設けることで、縁材７を箱体２に固着した際、箱体２に対して縁材７を水平に固着することができ、施工による箱体２に対する縁材７の高さのばらつきを抑えることができる。さらに箱体２の固着具１４を固着する箇所が固着具用ガイド溝部１３によってガイドされるため、箱体２への縁材７の固着が容易になる。
【００１９】
【発明の効果】
上記のように本発明の請求項１記載の発明にあっては、平面視における当接面と箱体との間にできる隙間の幅に応じて隙間覆い片を突出させて当接面と畳載置用収納箱との間の隙間を覆い隠すことができ、外観性が向上し、また当接面と畳載置用収納箱との間の隙間に埃やゴミ等が入り込まないようすることができる。
【００２０】
また、隙間覆い片を当接面側に突出させるねじ具を設けることで、容易に隙間覆い片の突出量を調節することができ、またねじ具の回転操作部は箱体よりも上方に位置しているため、箱体に収納される収納物の量にかかわらず回転操作部を操作して隙間覆い片を突出させることができる。さらにねじ具の回転操作部は上蓋の当接面側の側面に対向する位置に露出しているので、上蓋を取付けた状態においては、上蓋によってねじ具の回転操作部を外から見えない位置に収めることができ、美観を損ねることなく隙間覆い片を突出させるねじ具を設けることができる。また上蓋の上面に載置された畳の当接面側の側面を縁材に当接することで、平面視における畳と縁材との間に隙間が生じず、畳と縁材との間の隙間にゴミや埃等が入り込むことがなくなる。
【００２１】
また請求項２記載の発明にあっては、上記請求項１記載の発明の効果に加えて縁材に固着具用ガイド溝部を設けることで、固着具にて縁材を箱体に固着する際に、固着具用ガイド溝部がガイドとなり容易に箱体に対する縁材の高さを一定にした状態で縁材を箱体に固着することができ、また固着具用ガイド溝部を縁材の長手方向における全長に亘って設けることで、縁材を箱体に固着した際、箱体に対して縁材を水平に固着することができ、施工による箱体に対する縁材の高さのばらつきを抑えることができ、外観が美しい状態で畳載置用収納箱を配置することができる。
【図面の簡単な説明】
【図１】  本発明の一実施形態を示す部分断面図である。
【図２】  畳載置用収納箱を複数組み合わせて形成した畳コーナーユニットの斜視図である。
【図３】  本発明の一実施形態における畳載置用収納箱の隙間覆い片を示し、（ａ）は平面図、（ｂ）は側面図である。
【図４】  本発明の一実施形態における畳載置用収納箱の縁材を示し、（ａ）は正面図、（ｂ）は側面図、（ｃ）は底面図である。
【図５】  図４のＡ―Ａ断面図である。
【図６】  図４のＢ−Ｂ断面図である。
【図７】  図１の隙間覆い片を縁材側に引き込んだ状態を示す部分断面図である。
【図８】  本発明の他の実施形態における畳載置用収納箱の縁材を示し、（ａ）は平面図、（ｂ）は正面図、（ｃ）は側面図である。他の実施形態を示す部分断面図である。
【図９】  図８のＣ−Ｃ断面図である。
【図１０】  図８のＤ−Ｄ断面図である。
【図１１】  本発明の更に他の実施形態を示す部分断面図である。
【符号の説明】
１  畳載置用収納箱
２  箱体
３  上蓋
４  畳
５  当接面
６  隙間覆い片
７  縁材
８  収納部
９  ねじ具
１０  回転操作部
１２  固着具用孔
１３  固着具用ガイド溝部
１４  固着具
【図１】
0003758575.tif 000002
【図２】
0003758575.tif 000003
【図３】
0003758575.tif 000004
【図４】
0003758575.tif 000005
【図５】
0003758575.tif 000006
【図６】
0003758575.tif 000007
【図７】
0003758575.tif 000008
【図８】
0003758575.tif 000009
【図９】
0003758575.tif 000010
【図１０】
0003758575.tif 000011
【図１１】
0003758575.tif 000012